(57)【特許請求の範囲】
【請求項１】
大径ホースの内側に小径ホースを収納した二重ホースと、二重ホースの接続対象に設けられ大径ホースが接続される大径接続口および小径ホースが接続される小径接続口と、大径ホースと大径接続口の間に介設される大径継手と、小径ホースと小径接続口の間に介設される小径継手と、を備えた二重ホースの接続構造であって、小径継手が大径継手の内側に保持されることで小径継手と大径継手との間に大径ホースと連通する水路が確保されるようになし、
前記小径継手は、前記大径継手の外部に軸方向にずらせて、接続対象側へ突出して配置され、
前記大径継手より突出して配置された前記小径継手は、前記大径接続口より内側に設けられた前記小径接続口に接続され、
前記大径継手は、前記大径接続口の内側に接続されて、
前記小径継手は、大径継手の内側に保持されることを特徴とする二重ホースの接続構造。
【請求項２】
大径継手の外側に、接続対象に螺合されるナットを備え、ナットを接続対象に螺合することで、ナットの内側が大径ホースを大径継手に圧縮して水密に固定するとともに大径継手の内側が小径ホースを小径継手に圧縮して水密に固定するようになしたことを特徴とする請求項１に記載の二重ホースの接続構造。
【請求項３】
原水を供給する水栓に付設されて原水の水路を切替える切替ユニットと、切替ユニットから水路が切替えられて供給される原水の処理を行って処理水を生成する水処理ユニットと、切替ユニットから水処理ユニットへ原水を供給するとともに水処理ユニットから切替ユニットへ処理水を返送する二重ホースと、を有する水処理装置であり、二重ホースは、少なくとも切替ユニットを接続対象とする接続構造または水処理ユニットを接続対象とする接続構造として、請求項１または２に記載の二重ホースの接続構造を備えたことを特徴とする水処理装置。
【発明の詳細な説明】
【技術分野】
【０００１】
本願発明は、大径ホースの内側に小径ホースを収納した二重ホースの接続構造、および同構造を備えた水処理装置に関するものである。
【背景技術】
【０００２】
ホースの接続構造において、水処理装置を例とした場合に、その水処理装置においては、水道水等の原水を供給する水栓に配置され原水を所定の水路のいずれかに切替える切替ユニットと、この切替ユニットとは離れて設置されて、切替ユニットから水路が切替えられえて供給された原水の処理を行う水処理ユニットと、を有している。
【０００３】
そして、上記切替ユニットと水処理ユニットは、切替ユニットから水処理ユニットへ原水を供給するホースと、水処理ユニットにおいて生成された処理水を切替ユニットへ戻すホースによって接続されている。
【０００４】
この場合、水処理ユニットへ原水を供給するホースと処理水を切替ユニットへ戻すホースが必要になるため、切替ユニットと水処理ユニットの間に２本のホースが設けられていることで繁雑な印象を与えたり、また水処理装置が設置される流し台における作業の邪魔になる等の問題があった。
【０００５】
また、特開平１１−１８２７１７号公報（特許文献１）には、二重ホースを用いた水処理装置が示されている。この場合、上記処理水を戻すホースとして、互いに径が異なる二つのホースを備えており、その二つのホースのうち大径ホースが小径ホースを収納した二重ホースとし、異なる水質の処理水を各々のホースを介して切替ユニットへ戻し、切替ユニットから吐水している。
【０００６】
そして、上記切替ユニットの側部に大径ホースを接続する大径継手を設けるとともに、その大径継手の同心上であって大径継手から離れた切替ユニット内部に、小径ホースを接続する小径継手を設けて、大径ホースと小径ホースを各々別々に切替ユニットに接続および固定するようにした二重ホースの接続構造となっている。
【特許文献１】特開平１１−１８２７１７号公報
【発明の開示】
【発明が解決しようとする課題】
【０００７】
しかしながら前記背景技術の特許文献１に記載の二重ホースの接続構造では、まず小径ホースを小径継手に接続し、その後大径ホースを大径継手に接続する等、二重ホースを構成する上記各々のホースの接続および固定を別々に行う必要があった。
【０００８】
よって、切替ユニットへの二重ホースの接続に手間を要してしまい、また、切替ユニット内に配置されている小径継手に小径ホースを接続および固定する際に、例えば切替ユニットをいったん分解しなければならないような場合は、二重ホースの接続にさらに手間を要していた。
【０００９】
本願発明はこのような上記背景技術の課題を解決するものであり、容易に接続が可能な二重ホースの接続構造を提供することを目的とする。
【課題を解決するための手段】
【００１０】
上記課題を解決するために、本願請求項１記載の発明は、大径ホースの内側に小径ホースを収納した二重ホースと、二重ホースの接続対象に設けられ大径ホースが接続される大径接続口および小径ホースが接続される小径接続口と、大径ホースと大径接続口の間に介設される大径継手と、小径ホースと小径接続口の間に介設される小径継手と、を備えた二重ホースの接続構造であって、小径継手が大径継手の内側に保持されることで小径継手と大径継手との間に大径ホースと連通する水路が確保されるようになし、前記小径継手は、前記大径継手の外部に軸方向にずらせて、接続対象側へ突出して配置され、前記大径継手より突出して配置された前記小径継手は、前記大径接続口より内側に設けられた前記小径接続口に接続され、前記大径継手は、前記大径接続口の内側に接続されて、前記小径継手は、大径継手の内側に保持されるようになしたものである。
【００１２】
本願請求項２記載の発明は、上記請求項１に記載の二重ホースの接続構造において、大径継手の外側に、接続対象に螺合されるナットを備え、ナットを接続対象に螺合することで、ナットの内側が大径ホースを大径継手に圧縮して水密に固定するとともに大径継手の内側が小径ホースを小径継手に圧縮して水密に固定するようになしたことを特徴としている。
【００１３】
本願請求項４記載の発明は、原水を供給する水栓に付設されて原水の水路を切替える切替ユニットと、切替ユニットから水路が切替えられて供給される原水の処理を行って処理水を生成する水処理ユニットと、切替ユニットから水処理ユニットへ原水を供給するとともに水処理ユニットから切替ユニットへ処理水を返送する二重ホースと、を有する水処理装置であり、二重ホースは、少なくとも切替ユニットを接続対象とする接続構造または水処理ユニットを接続対象とする接続構造として、請求項１または２に記載の二重ホースの接続構造を備えたことを特徴としている。
【発明の効果】
【００１４】
本願請求項１記載の発明の二重ホースの接続構造においては、小径継手を大径継手の内側に保持することで、小径継手と大径継手を一体化して容易に接続できるとともに、大径ホースと連通する水路を容易に確保できる二重ホースの接続構造が提供される。また、大径継手と小径継手とを軸方向にずらせて配置し、大径継手は、大径接続口の内側に接続されて、小径継手は、大径継手の内側に保持されることで、大径継手の径を低減できるとともに、大径ホースの径も低減することができる。
【００１６】
本願請求項２記載の発明の二重ホースの接続構造においては、特に、一つのナットにより、大径ホースと小径ホースを同時にしかも水密に固定することができる。  
【００１７】
本願請求項３記載の発明の水処理装置においては、特に、上記二重ホースの接続構造を、少なくとも切替ユニットとの接続構造または水処理ユニットとの接続構造に用いることで、水処理装置の設置のしやすさを大いに高めることができる。
【発明を実施するための最良の形態】
【００１８】
図１、２は、本願発明の実施形態である二重ホースの接続構造および同二重ホースの接続構造を備えた水処理装置を示している。まずこの水処理装置は図１に示すように、原水を供給する水栓１に付設されて原水の水路を切替える切替ユニット２と、切替ユニット２から水路が切替えられて供給される原水の処理を行って処理水を生成する水処理ユニット３と、切替ユニット２から水処理ユニット３へ原水を供給するとともに水処理ユニット３から切替ユニット２へ処理水を返送する二重ホース４が設けられている。
【００１９】
次に、図２に示すように、上記二重ホース４の接続対象としての大径ホース５が接続される大径接続口２２ａ、および小径ホース６が接続される小径接続口２２ｂと、を有し、大径ホース５と大径接続口２２ａの間に介設された大径継手７と、小径ホース６と小径接続口２２ｂの間に介設された小径継手８と、を備え、前記小径継手８が大径継手７の内側に保持されることで小径継手８の外側と大径継手７の内側の間に大径ホース５の水路２６が確保されている。
【００２０】
また、小径継手８は、大径継手７の外部に小径接続口２２ｂ側へ突出して配置されている。
【００２１】
さらに、大径継手７の外側に接続口２２に螺合されるナット９を備え、ナット９を接続口２２に螺合するときに、ナット９の内側が大径ホース５を大径継手７に圧縮して水密に固定するとともに大径継手７の内側が小径ホース６を小径継手８に圧縮して水密に固定している。
【００２２】
以下、本実施形態の二重ホースの接続構造、および同二重ホースの接続構造を備えた水処理装置について、より具体的詳細に説明する。図１に示すように、水道水等の原水が供給される水栓1が流し台１３の上面に設けられていて、同じく流し台１３の上面には、供給された原水の処理を行う水処理装置ユニット３が設置されている。
【００２３】
水栓１の先端には供給された原水を所定の水路に切替える切替ユニット２が設けられており、その切替ユニット２と水処理ユニット３には、切替ユニット２から水処理ユニット３へ原水を供給するとともに、水処理ユニット３で処理された処理水を切替ユニット２へ返送するための二重ホース４が接続されている。
【００２４】
切替ユニット２には、原水の水路を切替える切替レバー１４が設けられていて、原水を切替ユニット２よりそのまま吐水する水路（原水モード）、原水を切替ユニット２よりシャワー状に吐水する水路（シャワーモード）、または原水を切替ユニット２より水処理ユニット３へ供給する水路（供給モード）のいずれかに切替えることができる。
【００２５】
一方、水処理ユニット３の上側には、処理水の水質を設定することができるように複数のボタン１５が配置されていて、そのボタン１５の上側にはボタン１５により選択された水質を表示する、同じく複数の表示ランプ１６が設けられている。
【００２６】
水処理ユニット３の正面上側には、水処理ユニット３の使用状態を表示する液晶等からなる表示部１７が設けられている。
【００２７】
また、水処理ユニット３の側面下側には排水ホース１７ａが接続されていて、水処理ユニット３で処理された処理水のうち切替ユニット２に返送されない処理水や、水処理ユニット３の内部洗浄に使用された洗浄水等を流し台１３へ排水している。
【００２８】
次に図２に示すように、切替ユニット２内には切り替えレバー１４に連動して回動する弁棒１８と、その弁棒１８により開閉される複数の弁体１９と、が設けられている。弁体１９の側部には水栓１から供給された原水を二重ホース４へ供給するとともに、二重ホース４より切替ユニット２に返送された処理水を吐水口２０へ導く接続管２１が設けられている。
【００２９】
切替ユニット２の側部には二重ホース４のうち、大径ホース５が接続される大径接続口２２ａが設けられていて、その接続口２２の内側には、大径ホース５に収納された小径ホース６が接続される小径接続口２２ｂが配置されており、その大径接続口２２ａには大径接続管２３が取りつけられていて、小径接続口２２ｂには小径接続管２４が取りつけられている。
【００３０】
ここで小径ホース６は、小径継手８を介して小径接続口２２ｂに接続されていて、その小径継手８において小径ホース６の先端部が接続される側の外面１０は、小径ホース６を接続しやすいようにするためテーパ形状に形成されている。小径継手８において小径接続口２２ｂが接続される側にはＯリング２５が設けられていて、小径継手８と小径接続口２２ｂとを水密に接続している。
【００３１】
また、大径ホース５は、大径継手７を介して大径接続口２２ａに接続されていて、その大径継手７において大径ホース５の先端部が接続される側の外面１０は、大径ホース５を接続しやすいようにするため同様にテーパ形状に形成されている。大径継手７において大径接続口２２ａの先端部が接続される側には同じくＯリング２５が設けられていて、大径継手７と大径接続口２２ａとを水密に接続している。
【００３２】
小径継手８は大径継手７の内側に保持されていて、小径継手８が固定されるとともに、小径継手８の外側に設けられた水路２６により、大径ホース５と大径接続口２２ａの間の通水が確保されている。
【００３３】
大径継手７の外側にはナット９が設けられていて、そのナット９を大径接続口２２ａに螺合することで、大径継手７を介して大径接続口２２ａに接続された大径ホース５を切替ユニット２に固定している。
【００３４】
このとき、ナット９の内側に設けられた環状の凸部１１により、大径ホース５の先端部が大径継手７のテーパ形状に形成された外面１０に圧縮されることで、大径ホース５が大径継手７に水密に接続され固定されている。
【００３５】
また、大径継手７の内側に設けられた環状の凸部１２により、小径ホース６の先端部が小径継手８のテーパ形状に形成された外面１０に圧縮されることで、小径ホース６が小径継手８に同様に水密に接続され固定されている。
【００３６】
さらに、小径ホース６の長さが大径ホース５の長さより長く設けられていることにより、小径継手８は大径継手７よりも切替ユニット２側に配置されている。
【００３７】
図３に示すように、切替ユニット２に二重ホース４を接続する際には、まずナット９に小径ホース６が収納された大径ホース５を挿入してから、大径継手７に大径ホース５の先端部より長く形成された小径ホース６の先端部を挿入する。
【００３８】
次に図４に示すように、挿入した大径継手７のテーパ形状に形成された側の外面１０に大径ホース５の先端部を取りつけ、小径ホース６の先端部を外側に水路２６が設けられた小径継手８に取りつける。ここで図５に示すように、小径ホース６の先端部は、小径継手８のテーパ形状に形成された側の外面１０に取付けられるとともに、前記小径継手８は、大径継手７の内側に保持されている。
【００３９】
小径継手８の外側には上述したように水路２６が設けられていて、小径ホース６の先端部の接続状況を確認することができるとともに、その水路２６により大径ホース５と大径接続口２２ａの間の通水が確保されている。
【００４０】
図６に示すように、小径ホース６が取りつけられた小径継手８を小径接続口２２ｂに接続するとともに、大径ホース５が取りつけられた大径継手７を、小径接続口２２ｂの外側に設けられた大径接続口２２ａに接続する。
【００４１】
そして図７に示すように、ナット９を大径接続口２２ａに螺合することにより、まずナット９の内側に設けられた環状の凸部１１により、大径ホース５の先端部が大径継手７のテーパ形状に形成された外面１０に圧縮されることで、大径ホース５が大径継手７に水密に接続され固定される。
【００４２】
さらに、大径継手７の内側に設けられた環状の凸部１２により、小径ホース６の先端部が小径継手８のテーパ形状に形成された外面１０に圧縮されることで、小径ホース６が小径継手８に同様に水密に接続され固定される。
【００４３】
ここで、小径継手８は大径継手７よりも小径接続口２２ｂ側に配置されているために、大径継手７の径を低減できるとともに、大径ホース５の径も低減することができる。
【００４４】
また、小径継手８において小径接続口２２ｂが接続される側と、大径継手７において大径接続口２２ａが接続される側に設けられたＯリング２５により、小径継手８と大径継手７は、それぞれ小径接続口２２ｂと大径接続口２２ａに水密に接続され固定される。
【００４５】
このように、ナット９により大径ホース５と小径ホース６の切替ユニット２への接続および固定を同時に行うことができ、しかもその接続および固定を水密に行うことができる。
【００４６】
以上の構成において、本実施の形態における水処理装置の動作を図１、２、７を用いて説明する。
【００４７】
使用者が、水処理ユニット３に設けられたボタン１５を押して所定の水質に設定すると（ここでは例として浄水に設定）、ボタン１５の上に配置された表示ランプ１６が点灯するとともに、表示部１７に設定された水質が表示される。
【００４８】
次に使用者が、切替ユニット２の切替レバー１４を操作して切替ユニット２の水路を切替えると（ここでは例として上述の供給モードに切替え）、切替ユニット２内に設けられた弁棒１８が回転して、弁体１９が開かれることで接続管２１の小径接続管２４への水路が開かれる。
【００４９】
ここで切替レバー１４を操作することで、同様に原水を切替ユニット２よりそのまま吐水する水路（原水モード）、原水を切替ユニット２よりシャワー状に吐水する水路（シャワーモード）についても開くことができる。
【００５０】
そして使用者が水栓１を開くと、水道水等の原水が切替ユニット２に供給され、供給された原水は開かれた弁体１９より小径接続管２４を流れて、小径接続口２２ｂに小径継手８を介して接続された小径ホース６に流入する。
【００５１】
このとき小径接続口２２ｂと小径継手８は、小径継手８に設けられたＯリング２５によって水密に接続され固定されているとともに、小径継手８と小径ホース６は、大径継手７の内側に設けられた環状の凸部１２により、小径ホース６の先端部が小径継手８のテーパ形状に形成された外面１０に圧縮されることで、同様に水密に接続され固定されているため、各々の接続部分から水が漏れることはない。
【００５２】
小径ホース６に流入した原水は水処理ユニット３に供給され、水処理ユニット３内においてろ過等により原水の浄化処理が行われて、処理水（この場合例として浄水）が生成される。
【００５３】
生成された処理水は、大径ホース５により大径継手７を介して、大径継手７より小径接続口２２ｂ側に配置された小径継手８の外側に設けられた水路２６を通り、大径継手７が接続された大径接続口２２ａより大径接続管２３に送られることで、切替ユニット２に返送される。切替ユニット２に返送された処理水は、切替ユニット２の吐水口２０より吐水される。
【００５４】
このとき、大径ホース５と大径継手７は、ナット９の内側に設けられた環状の凸部１１により、大径ホース５の先端部が大径継手７のテーパ形状に形成された外面１０に圧縮されることで、水密に接続され固定されているとともに、大径継手７と大径接続口２２ａは、大径継手７に設けられたＯリング２５によって水密に接続され固定されているため、各々の接続部分から水が漏れることはない。
【００５５】
水処理ユニット３から大径ホース５に送られなかった処理水や、水処理ユニット３内の洗浄に用いられた洗浄水等の排水は、排水ホース１７ａより排水される。
【００５６】
以上のように本実施形態の水処理装置においては、前記小径継手８が大径継手７の内側に保持されることで、小径継手８と大径継手７が一体に構成されているために、小径接続口２２ｂおよび大径接続口２２ａへの接続をきわめて容易に行うことができるとともに、小径継手８の外側に設けられた水路２６により、大径ホース５と大径接続口２２ａの間の通水を確保することができる。
【００５７】
次に、ナット９を接続口２２に螺合することにより、まずナット９の内側に設けられた環状の凸部１１により、大径ホース５の先端部が大径継手７のテーパ形状に形成された外面１０に圧縮されることで、大径ホース５が大径継手７に水密に接続され固定される。
【００５８】
さらに、大径継手７の内側に設けられた環状の凸部１２により、小径ホース６の先端部が小径継手８のテーパ形状に形成された外面１０に圧縮されることで、小径ホース６が小径継手８に同様に水密に接続され固定される。
【００５９】
このように、一つのナット９により大径ホース５と小径ホース６の切替ユニット２への接続および固定を同時に行うことができ、しかもその接続および固定を水密に行うことが可能であるため、簡単に固定できるとともに、水漏れ等がない安心して使用できる二重ホースの接続構造を提供することができる。
【００６０】
さらに、大径継手７と小径継手８において、各々大径ホース５と小径ホース６が接続される側の外面１０をテーパ形状に形成することで、大径ホース５と小径ホース６を容易に接続することができる。
【００６１】
そして、小径継手８を小径接続口２２ｂ側に突出して配置することで、大径継手７の径を低減できるとともに、大径ホース５の径も低減することができる。
【００６２】
なお、本実施形態においてはナット９を接続口２２に螺合させることで大径ホース５と小径ホース６を固定しているが、例えば金属や樹脂材料からなるホースバンドを用いて固定してもよい。
【００６３】
また、切替ユニット２から水処理ユニット３への原水の供給には小径ホース６を用いるとともに、水処理ユニット３から切替ユニット２への処理水の返送には大径ホース５を用いているが、原水の供給に大径ホース５を使用して、処理水の返送には小径ホース６を使用してもよい。
【００６４】
さらに本実施形態では、切替ユニット２への二重ホース４の接続について示しているが、二重ホース４を水処理ユニット３へ接続する場合においても、同様の方法で接続してもよい。
【図面の簡単な説明】
【００６５】
【図１】本願発明の実施形態である水処理装置の設置状態を示す斜視図。
【図２】同水処理装置における切替ユニットとホースの接続構造を示す断面図。
【図３】同切替ユニットへのホースの接続工程を示す断面図。
【図４】同切替ユニットへのホースの接続工程を示す断面図。
【図５】同切替ユニットへのホースの接続工程を示す断面図。
【図６】同切替ユニットへのホースの接続工程を示す断面図。
【図７】同切替ユニットへのホースの接続工程を示す断面図。
【符号の説明】
【００６６】
１  水栓
２  切替ユニット
３  水処理ユニット
４  二重ホース
５  大径ホース
６  小径ホース
７  大径継手
８  小径継手
９  ナット
２２ａ  大径接続口
２２ｂ  小径接続口
水路  ２６
【図１】
0004770433.tif 000002
【図２】
0004770433.tif 000003
【図３】
0004770433.tif 000004
【図４】
0004770433.tif 000005
【図５】
0004770433.tif 000006
【図６】
0004770433.tif 000007
【図７】
0004770433.tif 000008